(57)【要約】      （修正有）【課題】ヘッドが取り外されたゴルフクラブのシャフトの廃棄コストを削減できるとともに、シャフトを有効利用できる、ゴルフ練習用グリップ及びゴルフ練習具を提供する。【解決手段】ウエイト２付きのグリップ１であって、ヘッド３が取り外されたゴルフクラブ４のシャフト５の端部５ａを受け入れるシャフト挿入穴６を備える。ウエイトは、グリップのシャフト挿入穴とは反対側の端部内に埋設するのが好ましい。グリップは、従来廃棄物とされていたシャフトと結合させることで、ゴルフ練習具を構成する。ゴルフ練習具は、シャフトの一端に、元々備わっていたグリップを有し、シャフトの他端に、ウエイト付きのグリップ１を有する。【選択図】図２
0003197460.tif 000002
【実用新案登録請求の範囲】
【請求項１】
ウエイト付きのグリップであって、ヘッドが取り外されたゴルフクラブのシャフトの端部を受け入れるシャフト挿入穴を備える、ゴルフ練習用グリップ。
【請求項２】
前記ウエイトが前記グリップの前記シャフト挿入穴とは反対側の端部内に埋め込まれている、請求項１に記載のゴルフ練習用グリップ。
【請求項３】
請求項１又は２に記載の前記ゴルフ練習具グリップと、ヘッドを取り外されたゴルフクラブのシャフトとを備え、該シャフトの先端部が前記ゴルフ練習用グリップの前記シャフト挿入穴に挿入され固定されている、ゴルフ練習具。
【考案の詳細な説明】
【技術分野】
【０００１】
本考案は、ゴルフ練習用グリップに関するものであり、詳しくは、ヘッドが取り外されたゴルフクラブのシャフトに装着して使用するゴルフ練習用グリップに関するものである。本考案はまた、前記ゴルフ練習用グリップを含むゴルフ練習具に関するものである。
【背景技術】
【０００２】
近年、個々のゴルファーがゴルフクラブのシャフトを自分に適する性能のものに取り替える、いわゆる「リシャフト」が行われるようになっている。リシャフトの作業は、作業の安全性及び信頼性の観点から専門業者によって行われるが、その作業の概要は、リシャフトするゴルフクラブからシャフトを抜き取り、残ったクラブヘッドに新しいシャフトを取り付けることである。
【０００３】
リシャフトを行うと、ヘッドが取り外されたシャフトが不用品として残ってしまう。この取り外しシャフトは、従来、廃棄物として処理されていた。
【０００４】
一方、ゴルフの素振り練習を行うのに適するゴルフ練習具として、従来、特許文献１〜４等に示すものが知られている。これらの練習具は、一本のシャフトの両端にそれぞれゴルフスイング用のグリップを装着し、一方のグリップ側にウエイトを設けて、二つのグリップ間に重量差を付けたものである。これらの練習具は、重い側を先にしてゆっくりと素振りをすることで、体幹を鍛えたり筋力アップを図ったりすることができ、軽い側を先にして素早く素振りをすることで、ヘッドスピードのアップを図ることができる。前記練習具により、これら二種類の練習を簡単且つ手軽に行うことができる。
【先行技術文献】
【特許文献】
【０００５】
【特許文献１】特開２０００−１４８５０号公報
【特許文献２】特開２００５−２２４３４５号公報
【特許文献３】特開２０１０−１７８９４３号公報
【特許文献４】実用新案登録第３１７７８６８号公報
【考案の概要】
【考案が解決しようとする課題】
【０００６】
ところで、リシャフトで取り外されたシャフトは、廃棄物とされていたので、廃棄コストが掛かるほか、資源の有効利用の観点からも無駄が多かった。
【０００７】
本考案は、前記のような事情に鑑みてなされたもので、ヘッドが取り外されたゴルフクラブのシャフトの廃棄コストを削減できるとともに、前記シャフトを有効利用できる、ゴルフ練習用グリップ及びゴルフ練習具を提供しようとするものである。
【課題を解決するための手段】
【０００８】
前記課題を解決するため、本考案に係るゴルフ練習用グリップは、ウエイト付きのグリップであって、ヘッドが取り外されたゴルフクラブのシャフトの端部を受け入れるシャフト挿入穴を備えることを特徴とする（請求項１）。
【０００９】
本考案に係るゴルフ練習用グリップは、ヘッドが取り外されたゴルフクラブのシャフトの端部を、シャフト挿入穴に挿入固定して使用する。挿入固定状態において、シャフトの一端には、元々備わっていた通常のグリップがあり、シャフトの他端には、ウエイト付きのグリップがある。練習者は、元々備わっていたグリップを把持し、ウエイト付きのグリップを先にしてゆっくりと素振りをすることで、体幹を鍛えたり筋力アップを図ったりすることができる。練習者はまた、ウエイト付きのグリップを把持し、元々備わっていた通常のグリップを先にして素早く素振りをすることで、ヘッドスピードのアップを図ることができる。
【００１０】
本考案に係るゴルフ練習用グリップにより、ヘッドが取り外されたゴルフクラブのシャフトの有効利用を図ることができる。また、ヘッドが取り外されたゴルフクラブのシャフトを廃棄する必要がなくなるので、廃棄コストを節約できる。さらに、本物のゴルフクラブのシャフトに連結して使用するので、本物のゴルフクラブを振るときと同じく、シャフトのしなりを感じながら素振りの練習をすることができる。
【００１１】
好適な実施の一形態として、前記ウエイトが前記グリップの前記シャフト挿入穴とは反対側の端部内に埋め込まれている態様を例示する（請求項２）。このようにすれば、ウエイトがグリップの末端に位置するので、ウエイト付きのグリップを先にして素振りを行う際に、ウエイトの効果が最大限発揮される利点がある。また、ウエイトがグリップ内に埋め込まれるので、ウエイト付きのグリップを把持して素振りを行う際に、ウエイトが邪魔になることがない。
【００１２】
本考案に係るゴルフ練習具は、前記ゴルフ練習具グリップと、ヘッドが取り外されたゴルフクラブのシャフトとを備え、該シャフトの先端部が前記ゴルフ練習用グリップの前記シャフト挿入穴に挿入され固定されていることを特徴とする（請求項３）。
【図面の簡単な説明】
【００１３】
【図１】本考案の実施の一形態に係るゴルフ練習用グリップの側面図である。
【図２】図１のゴルフ練習用グリップの断面図である。
【図３】図１のゴルフ練習用グリップを含むゴルフ練習具の要部切欠き側面図である。
【図４】図１のゴルフ練習用グリップを含むゴルフ練習具の全体側面図である。
【考案を実施するための形態】
【００１４】
以下、添付図面を参照して、本考案の実施の一形態について説明する。
【００１５】
図１及び図２に示すように、本考案の実施の一形態に係るゴルフ練習用グリップ１は、ウエイト２付きのグリップ１であって、ヘッド３が取り外されたゴルフクラブ４のシャフト５の端部５ａを受け入れるシャフト挿入穴６を備えている。
【００１６】
グリップ１は、通常のゴルフクラブ用のグリップと同じく、使用者が両手で把持するための両手用グリップである。但し、片手での素振り練習に適する長さの片手練習用グリップとしてもよい。前記グリップは、ゴム又はプラスチック等の適宜の材料を用いて作製することができる。
【００１７】
グリップ１にはウエイト２が付けられている。ウエイト２は、グリップ１の太径部１ａ側の内部に埋め込まれている。ウエイト２として、例えば、金属棒を採用することができる。ウエイト２は、グリップ１の内部に埋め込むだけでなく、グリップ１の外側に装着したり、グリップ１の内側及び外側の双方に装着したりすることもできるが、グリップ１を把持して素振りの練習をする場合の便宜のため、ウエイト２は、グリップ１の把持に邪魔にならない態様で取り付けるのが好ましい。
【００１８】
前記シャフト挿入穴６は、グリップ１の細径部１ｂ側の端部に開口形成されている。シャフト挿入穴６の奥に前記ウエイト２が位置している。該ウエイト２は、グリップ１のシャフト挿入穴６とは反対側の端部内に埋め込まれている。
【００１９】
シャフト挿入穴６は、ヘッド３が取り外されたゴルフクラブ４のシャフト５の端部５ａを受け入れるためのものである。そのため、前記シャフト５の端部５ａを、例えば圧入し固定するのに適する内径と奥行きとを有する。前記シャフト５と前記グリップ１との固定は、例えば、シャフト５の端部５ａの外周面とシャフト挿入穴６の内周面との間に接着剤を介装することによって行うことができる。
【００２０】
なお、ヘッド３が取り外されたゴルフクラブ４のシャフト５は、既に述べたように、いわゆるリシャフトと呼ばれる、シャフトの取替えによって生ずることが多い。
【００２１】
図３に示すように、前記グリップ１は、ヘッド３が取り外されたゴルフクラブ４のシャフト５と結合させることで、図４に示すゴルフ練習具７を構成する。具体的には、前記グリップ１のシャフト挿入穴６に前記シャフト５の先端部５ａを挿入して固定する。シャフト５のシャフト挿入穴６への挿入領域の外周面に接着剤を塗布し、このシャフト５を前記グリップ１のシャフト挿入穴６に圧入することにより、前記グリップ１と前記シャフト５とを連結状態で固定することができる。但し、この作業は、抜け落ち防止の観点から、専門業者に依頼するのが好ましい。
【００２２】
図４に示すように、前記ゴルフ練習具７は、シャフト５の一端に、元々備わっていたグリップ８を有し、シャフト５の他端には、ウエイト２付きのグリップ１を有する。元々備わっていたグリップ８に対し、ウエイト２付きのグリップ１は重量が大きい。練習者は、元々備わっていた通常グリップ８を把持し、ウエイト２付きのグリップ１を先にしてゆっくりと素振りをすることで、体幹を鍛えたり筋力アップを図ったりすることができる。練習者はまた、ウエイト２付きのグリップ１を把持し、元々備わっていた通常グリップ８を先にして素早く素振りをすることで、ヘッドスピードのアップを図ることができる。
【００２３】
前記グリップ１により、ヘッド３が取り外されたゴルフクラブ４のシャフト５の有効利用を図ることができる。また、ヘッド３が取り外されたゴルフクラブ４のシャフト５を廃棄する必要がなくなるので、廃棄コストを節約できる。さらに、前記グリップ１は、本物のゴルフクラブ４のシャフト５に連結して使用するので、本物のゴルフクラブを振るときと同じく、シャフト５のしなりを感じながら素振りの練習をすることができる。
【００２４】
背景技術の項で既に述べたように、ゴルフの素振り練習を行うのに適するゴルフ練習具として、従来、前記特許文献１〜４等に示すものが専用品として提供されている。これに対し、本実施の形態に係るゴルフ練習用グリップは、従来廃棄物とされていたゴルフクラブ４のシャフト５との組み合わせで、従来品と同様の機能を奏するゴルフ練習具となる。このため、ゴルフ練習具を専用品として製造する場合よりもはるかに経済的である。
【符号の説明】
【００２５】
１    グリップ（ゴルフ練習用グリップ）
２    ウエイト
３    ヘッド
４    ゴルフクラブ
５    シャフト
６    シャフト挿入穴
７    ゴルフ練習具
【図１】
0003197460.tif 000003
【図２】
0003197460.tif 000004
【図３】
0003197460.tif 000005
【図４】
0003197460.tif 000006